(57)【要約】【課題】消灯時の美観を高めることができる照明器具を提供する。【解決手段】照明器具１は、発光モジュール３０と、発光モジュール３０を覆う外郭カバー６０と、を備える。外郭カバー６０は、透明基材６１と、透明基材６１の発光モジュール３０側に設けられ透光性を有する光拡散層６３と、透明基材６１及び光拡散層６３の間に設けられ、所定の模様を構成する装飾層６２とから構成される。【選択図】図４
2018120797.tif 000002
【特許請求の範囲】
【請求項１】
光源と、
前記光源を覆う外郭カバーと、を備え、
前記外郭カバーは、
透明基材と、前記透明基材の前記光源側に設けられ透光性を有する光拡散層と、前記透明基材及び前記光拡散層の間に設けられ、所定の模様を構成する装飾層とから構成される
照明器具。
【請求項２】
前記外郭カバーは、前記装飾層が形成されている第１カバー部と、前記装飾層が形成されていない第２カバー部と、を有し、
前記第１カバー部の光透過率は、前記第２カバー部の光透過率に比べ１０％以上低い
請求項１に記載の照明器具。
【請求項３】
前記透明基材の形状は、平板状である
請求項１又は２に記載の照明器具。
【請求項４】
前記装飾層は、シルク印刷により形成される
請求項１〜３のいずれか１項に記載の照明器具。
【請求項５】
前記装飾層の厚みは、５μｍ以上１０μｍ以下である
請求項１〜４のいずれか１項に記載の照明器具。
【発明の詳細な説明】
【技術分野】
【０００１】
本発明は、空間を照明するための照明器具に関する。
【背景技術】
【０００２】
空間を照明するための照明器具の一つとして、シーリングライトが知られている（例えば、特許文献１参照）。シーリングライトは、天井に取り付けられる器具本体と、器具本体に支持された基板と、基板に実装された複数のＬＥＤ（Ｌｉｇｈｔ  Ｅｍｉｔｔｉｎｇ  Ｄｉｏｄｅ）と、複数のＬＥＤを覆うように器具本体に取り付けられた外郭カバー（拡散カバー）とを有している。
【先行技術文献】
【特許文献】
【０００３】
【特許文献１】特開２０１３−０４８１６７号公報
【発明の概要】
【発明が解決しようとする課題】
【０００４】
ところで、照明の演出効果を高めるため、外郭カバーに所定の模様が施された照明器具が検討されている。当該照明器具を点灯させているとき、外郭カバーには所定の模様が浮かび上がる。
【０００５】
しかしながら、このような照明器具では照明器具が消灯しているときでも、照明器具に外光が照射されると外郭カバーに施された模様が見えてしまい、照明器具の美観を損ねることがある。
【０００６】
そこで、本発明は、このような課題に鑑みてなされたものであり、消灯時の美観を高めることができる照明器具を提供することを目的とする。
【課題を解決するための手段】
【０００７】
上記目的を達成するために、本発明の一態様に係る照明器具は、光源と、前記光源を覆う外郭カバーと、を備え、前記外郭カバーは、透明基材と、前記透明基材の前記光源側に設けられ透光性を有する光拡散層と、前記透明基材及び前記光拡散層の間に設けられ、所定の模様を構成する装飾層とから構成される。
【発明の効果】
【０００８】
本発明の一態様に係る照明器具によれば、消灯時の美観を高めることができる。
【図面の簡単な説明】
【０００９】
【図１】実施の形態に係る照明器具の天井側の外観を示す斜視図である。
【図２】実施の形態に係る照明器具の床面側の外観を示す斜視図である。
【図３】実施の形態に係る照明器具を分解して示す分解斜視図である。
【図４】実施の形態に係る照明器具の断面の一例を示す断面図である。
【図５】実施の形態に係る照明器具の断面の他の一例を示す断面図である。
【図６】実施の形態に係る外郭カバーに浮かび上がる模様の一例を示す図である。
【図７】実施の形態に係る照明器具の点灯時及び消灯時での模様の見え方を説明するための図である。
【発明を実施するための形態】
【００１０】
以下では、本発明の実施の形態について、図面を用いて詳細に説明する。以下に説明する実施の形態は、いずれも本発明の一具体例を示すものである。したがって、以下の実施の形態で示される数値、形状、材料、構成要素、構成要素の配置、及び、接続形態などは、一例であり、本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
また、「略＊＊」との記載は実質的に＊＊と認められるものを含む意図であり、例えば「略円弧状」を例に挙げて説明すると、完全な円弧状はもとより、実質的に円弧状と認められるものを含む意図である。
【００１３】
また、以下の実施の形態で説明に用いられる図面においては座標軸が示される場合がある。Ｚ軸のマイナス側が床面（図示しない）側、Ｚ軸のプラス側が天井（図示しない）側を表している。また、Ｘ軸方向及びＹ軸方向は、Ｚ軸方向に垂直な平面（水平面）上において、互いに直交する方向である。Ｘ−Ｙ平面は、照明器具が備える器具本体の一方側の面に平行な平面である。なお、説明の都合上、図２及び図３では、照明器具を通常の使用時の姿勢とは上下逆の姿勢で図示している。
【００１４】
（実施の形態）
以下、本実施の形態に係る照明器具について説明する。
【００１５】
［１．照明器具の構成］
［１−１．照明器具の全体構成］
まず、本実施の形態に係る照明器具１の全体構成について、図１〜図３を参照しながら説明する。図１は、本実施の形態に係る照明器具１の天井側の外観を示す斜視図である。図２は、本実施の形態に係る照明器具１の床面側の外観を示す斜視図である。図３は、本実施の形態に係る照明器具１を分解して示す分解斜視図である。
【００１６】
照明器具１は、例えば住宅等の建物の天井に設置され、建物の内部の空間を照明するためのシーリングライトである。図１〜図３に示すように、照明器具１は、器具本体１０、電源ユニット２０、発光モジュール３０、レンズカバー４０、側方カバー５０、外郭カバー６０、枠体７０、及び、クッション部材８０を備えている。なお、天井は、照明器具１が取り付けられる造営材の設置面の一例である。
【００１７】
以下、照明器具１の各構成要素について、図１〜図７を参照しながら詳細に説明する。
【００１８】
［１−２．器具本体］
器具本体１０について、図１及び図３を参照しながら説明する。
【００１９】
器具本体１０は、電源ユニット２０、発光モジュール３０、側方カバー５０及びクッション部材８０を支持するための筐体である。器具本体１０は、中央部に円形状の開口部１１を有するリング状に形成されている。器具本体１０は、例えばアルミニウム板又は鋼板等の板金をプレス加工することによって形成される。
【００２０】
開口部１１の周縁部には、器具本体１０を器具取付部材（図示しない）に装着するためのホルダ１２が固定されている。ホルダ１２の内部には、器具取付部材が脱着自在に嵌合される。なお、器具取付部材とは、天井に設置された引っ掛けシーリングボディ（図示しない）に器具本体１０を脱着自在に取り付けるためのアダプタである。また、引っ掛けシーリングボディは、商用電源（図示しない）と電線（図示しない）を介して電気的に接続されている。照明器具１が天井に設置されることにより、商用電源からの交流電力が電線及び引っ掛けシーリングボディを介して照明器具１に供給される。
【００２１】
なお、器具本体１０は、発光モジュール３０からの熱を放熱するためのヒートシンクとしても機能する。
【００２２】
さらに、図１に示すように、器具本体１０の一方側の面（本実施の形態では、天井側の面）には、例えば、ウレタン等で形成されたクッション部材８０が複数取り付けられている。複数のクッション部材８０は、器具本体１０の周方向に沿って配置されている。照明器具１が天井に設置された際に、複数のクッション部材８０が器具本体１０と天井との間に挟み込まれることにより、器具本体１０のぐらつき又は回転が抑制される。
【００２３】
［１−３．電源ユニット］
次に、電源ユニット２０について、図１及び図３を参照しながら説明する。電源ユニット２０は、発光モジュール３０を発光させるための電力を生成するためのユニットである。電源ユニット２０は、例えば、器具本体１０の一方側の面に配置される。電源ユニット２０は、基板２１と、基板２１に実装された複数の回路部品２２と、基板２１及び複数の回路部品２２を覆うケース２３を有している。
【００２４】
基板２１は、複数の回路部品２２を実装するためのプリント配線基板である。基板２１は、複数の回路部品２２が床面側を向くようにして、ケース２３の他方側の面（本実施の形態では、床面側の面）に取り付けられている。
【００２５】
複数の回路部品２２の各々は、発光モジュール３０を発光させるための電力を生成するための電源回路を構成する電源用回路部品である。複数の回路部品２２は、上述した商用電源から電線を介して供給されてきた交流電力を直流電力に変換する。複数の回路部品２２で生成された直流電力が発光モジュール３０に供給されることにより、発光モジュール３０が発光する。
【００２６】
なお、複数の回路部品２２には、上述した電源用回路部品だけでなく、その他の回路を構成する回路部品が含まれていてもよい。例えば、複数の回路部品２２は、調光回路又は昇圧回路等を構成する駆動用回路部品を含んでいてもよく、あるいは、通信回路を構成する通信用回路部品（通信モジュール）等を含んでいてもよい。
【００２７】
ケース２３は、基板２１及び複数の回路部品２２を覆うためのカバーである。本実施の形態では、基板２１はケース２３の他方側の面に固定されている。ケース２３は、例えば、金属又は樹脂などにより形成されている。ケース２３が金属で形成されている場合、基板２１及び複数の回路部品２２で発生した熱を効率よく放熱することができる。
【００２８】
［１−４．発光モジュール］
次に、発光モジュール３０について、図３を参照しながら説明する。
【００２９】
発光モジュール３０は、例えば白色光を発するための光源である。白色光とは、例えば、色温度（相関色温度）が２６００Ｋ〜７１００Ｋの光である。発光モジュール３０は、複数の基板３１と、複数の基板３１の各々に実装された複数の発光素子３２とを有している。発光モジュール３０は、部屋全体を明るくする、室内照明用途の光源である。
【００３０】
基板３１は、複数の発光素子３２を実装するためのプリント配線基板であり、略円弧状に形成されている。複数の基板３１の各々は、器具本体１０の開口部１１を囲むようにして、器具本体１０の他方側の面（本実施の形態では、床面側の面）にネジ（図示しない）により取り付けられている。なお、本実施の形態では発光モジュール３０は４つの基板３１から構成されている例について説明しているが、基板３１の数はこれに限定されない。
【００３１】
基板３１としては、例えば、樹脂をベースとする樹脂基板、金属をベースとするメタルベース基板、セラミックからなるセラミック基板等を用いることができる。また、基板３１は、リジッド基板に限定されず、フレキシブル基板であってもよい。
【００３２】
複数の発光素子３２は、基板３１の径方向に配置されている。本実施の形態では、複数の発光素子３２は、基板３１の周方向に６列配置されている。各列において、複数の発光素子３２は、基板３１の周方向に間隔を置いて配置されている。これにより、発光モジュール３０全体としては、複数の発光素子３２はリング状に配置されるようになる。
【００３３】
発光素子３２の各々は、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、発光素子３２の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３４】
このように、発光素子３２の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして発光素子３２の各々から白色光が出射される。
【００３５】
なお、照明器具１の光源は、特に限定されるものではない。例えば、発光モジュール３０の代わりに、半導体レーザ等の半導体発光素子、有機ＥＬ素子（ＯＬＥＤ）、無機ＥＬ素子、又は、その他の固体発光素子を用いて構成された発光モジュールが用いられてもよい。また、発光モジュール３０の代わりに、蛍光管が用いられてもよい。また、発光モジュール３０は白色光を発光する例について説明したが、これに限定されない。
【００３６】
［１−５．レンズカバー］
次に、レンズカバー４０について、図３を参照しながら説明する。レンズカバー４０は、発光素子３２の各々からの光の配光角を拡大するための光学部材である。
【００３７】
レンズカバー４０は、リング状に形成されている。また、レンズカバー４０は、透光性を有する材料（例えば、アクリル（ＰＭＭＡ）、ポリカーボネート（ＰＣ）などの透明な樹脂等）で形成されている。レンズカバー４０は、複数の基板３１の各々を覆うようにして、器具本体１０の他方側の面にネジ（図示しない）により取り付けられる。
【００３８】
レンズカバー４０には、複数の発光素子３２の各々に対応する複数のレンズ４１が形成されている。複数の発光素子３２の各々からの光は、対応するレンズ４１を透過する。このとき、複数のレンズ４１の各々は、透過する光の配光角を拡大させる。
【００３９】
［１−６．側方カバー］
次に、側方カバー５０について、図３を参照しながら説明する。側方カバー５０は、発光モジュール３０を囲む枠状の部材であり、発光モジュール３０から側方カバー５０に入射した光を有効に活用するための光学部材である。言い換えると、側方カバー５０は、発光モジュール３０を側方から覆うように配置されている。
【００４０】
側方カバー５０は、一端部（天井側の端部）から他端部（床面側の端部）に向けて外方に傾斜している。例えば、側方カバー５０は、設置面である天井から遠ざかるにつれ、テーパ状に広がっている。側方カバー５０は、器具本体１０と外郭カバー６０との間に配置されており、器具本体１０に側方カバー５０の一端部が固定さることで、器具本体と１０に側方カバー５０が取り付けられる。また、側方カバー５０の他端部には、枠体７０を介して外郭カバー６０が取り付けられる。
【００４１】
側方カバー５０は、例えば、透光性を有する材料で形成されている。例えば、側方カバー５０は、透光性を有するアクリル樹脂で形成されている。これにより、発光モジュール３０から側方カバー５０に入射した光は、側方カバー５０を透過して外部に出射される。側方カバー５０から出射された光により、主に天井面又は壁面が照らされる。これにより、照明器具１が照明する空間をより明るくすることができる。
【００４２】
また、側方カバー５０には、例えば、光拡散材が内部に分散された乳白色の拡散パネルを用いることができる。これにより、発光モジュール３０から側方カバーに入射した光は、側方カバー５０を透過することで散乱されるので、側方カバー５０から出射された光は、略均一の明るさで天井面又は壁面を照らすことができる。
【００４３】
なお、側方カバー５０が透光性を有している例について説明したが、これに限定されない。側方カバー５０は、透光性を有しておらず、反射性（光反射性）を有していてもよい。例えば、側方カバー５０は、アルミニウム板又は鋼板等の板金をプレス加工することによって形成されてもよい。さらに、側方カバー５０の内周面に反射性を高めて光取り出し効率を向上させるために、白色塗料が塗布、又は、反射性金属材料が蒸着されていてもよい。当該側方カバー５０の内周面に入射した光は外郭カバー６０に向けて反射される。これにより、照明器具１の外郭カバー６０から出射する光の光量を増やすことができる。
【００４４】
［１−７．外郭カバー］
次に、外郭カバー６０について、図２〜図５を参照しながら説明する。図４は、本実施の形態に係る照明器具１の断面の一例を示す断面図である。具体的には、図４の（ａ）は、図１のＩＶ−ＩＶ線における断面図である。図４の（ｂ）は、図４の（ａ）の破線領域の拡大断面図である。より詳しくは、後述する図６のＩＶ（ｂ）−ＩＶ（ｂ）における断面図である。ここで、断面図とは、切断された照明器具１の断面のみを示しており、以降においても同様である。
【００４５】
外郭カバー６０（下面パネル）は、発光モジュール３０を覆うカバーである。本実施の形態では、外郭カバー６０の平面視形状は、略円形状である。
【００４６】
図４の（ａ）に示すように、外郭カバー６０は、側方カバー５０の他端部及び枠体７０により側方カバー５０に固定される。側方カバー５０の他端部に枠体７０がネジ７１により取り付けられている。外郭カバー６０の外周部が側方カバー５０の他端部と枠体７０とに挟まれることで、外郭カバー６０は側方カバー５０に固定される。
【００４７】
なお、外郭カバー６０の断面視形状は、略矩形状である。言い換えると、外郭カバー６０は、平板状のカバーである。なお、断面視とは、天井と垂直な平面（例えば、Ｙ軸とＺ軸とで規定される平面）で切断された断面を、当該平面と直交する方向から見ることであり、以降においても同様である。
【００４８】
器具本体１０に取り付けられた発光モジュール３０が出射した光はレンズカバー４０を介して外郭カバー６０に入射する。そして、外郭カバー６０を透過した光は、照明光として床面などを照らす。なお、発光モジュール３０から出射され側方カバー５０で反射した光も、外郭カバー６０に入射する。
【００４９】
また、側方カバー５０と外郭カバー６０とは、別々に製造されたカバーであり、上記で説明したように、ネジなどにより側方カバー５０に外郭カバー６０が固定される。
【００５０】
図４の（ｂ）に示すように、外郭カバー６０は、透明基材６１、装飾層６２及び光拡散層６３により構成されている。光拡散層６３は、発光モジュール３０から出射された光を散乱させるための部材である。透明基材６１は、光拡散層６３で散乱された光を透過するための部材である。装飾層６２は、外郭カバー６０に所定の模様を構成するための部材である。本実施の形態に係る外郭カバー６０は、透明基材６１及び光拡散層６３の間に装飾層６２が配置されている点に特徴を有する。発光モジュール３０からの光は、外郭カバー６０の光拡散層６３に入射し、透明基材６１から照明光として出射される。
【００５１】
透明基材６１は、透明な材料で形成される基材である。本実施の形態では、透明基材６１は、透明なアクリル樹脂により形成されている。これにより、光拡散層６３により散乱された光を透過することができる。
【００５２】
透明基材６１の断面視形状は、略矩形状である。つまり、透明基材６１は、平板状の部材である。これにより、透明基材６１上に装飾層６２及び光拡散層６３を印刷又は塗布などにより形成する場合、装飾層６２及び光拡散層６３が形成しやすくなる。言い換えると、透明基材６１が平板状であることで、装飾層６２及び光拡散層６３を形成する際の生産性が向上する。また、透明基材６１の厚みは、特に限定されないが、一例として３ｍｍである。なお、透明基材６１は、透明シート又は透明フィルムなどであってもよい。
【００５３】
装飾層６２は、外郭カバー６０に浮かび上がらす所定の模様を構成する。装飾層６２は、透明基材６１の発光モジュール３０側の面（以降、内面とも記載する）に設けられる。装飾層６２は、例えば、シルク印刷用のインクをシルク印刷により透明基材６１の内面に印刷することで形成される。装飾層６２は、透明基材６１の内面の一部に形成される。なお、印刷手法はシルク印刷に限定されない。本実施の形態に係る透明基材６１は平板状であり凹凸が少ないので、例えば、インクジェットプリントなど様々な印刷手法で容易に装飾層６２を形成することができる。また、上記では、透明基材６１の内面に装飾層６２を形成する例について説明したが、これに限定されない。例えば、透明基材６１と装飾層６２との間に、別の層が形成されていてもよい。つまり、装飾層６２は透明基材６１に対して、発光モジュール３０側に形成されていればよい。
【００５４】
装飾層６２の厚みは、特に限定されないが、一例として５μｍ以上１０μｍ以下である。これにより、装飾層６２は、光拡散層６３で散乱された光を所定の割合透過させることができる。言い換えると、光拡散層６３で散乱された光は装飾層６２を透過することで、光の強度が弱められる。つまり、装飾層６２を透過していない光に比べ、装飾層６２を透過した光は暗くなる。よって、床面から照明器具１を見ると、装飾層６２に対応した模様（例えば、明暗のある模様）が外郭カバー６０に浮かび上がる。
【００５５】
なお、装飾層６２は、上記材料又は形成方法に限定されない。例えば、装飾層６２は、所定の模様が印刷された透明なシート又はフィルムなどを透明基材６１の内面に配置することで実現されてもよい。また、装飾層６２が設けられるとは、シルク印刷などにより装飾層６２が形成される又はシートなどにより装飾層６２が配置されることを含む意図である。
【００５６】
また、図４の（ｂ）に示すように、外郭カバー６０の装飾層６２が形成されている部分は第１カバー部６０ａの一例であり、外郭カバー６０の装飾層６２が形成されていない部分は第２カバー部６０ｂの一例である。
【００５７】
光拡散層６３は、装飾層６２が形成された透明基材６１の内面に設けられる。光拡散層６３は、透光性を有する材料で形成される。例えば、光拡散層６３は、アクリル系の塗料を装飾層６２が形成された透明基材６１の内面に塗装することにより形成される。例えば、光拡散層６３は、装飾層６２が形成された透明基材６１の内面に拡散塗装を施すことで形成される。
【００５８】
光拡散層６３の厚みは、特に限定されないが、一例として１０μｍ以上１５μｍ以下である。
【００５９】
図４の（ｂ）に示すように拡散塗装を施すことで形成された光拡散層６３は、断面視において、装飾層６２が設けられている部分では装飾層６２の発光モジュール３０側の面と接しており、装飾層６２が設けられていない部分では透明基材６１の内面と接している。
【００６０】
なお、光拡散層６３は、上記材料又は形成方法に限定されない。例えば、光拡散層６３は、所定の拡散度合いを有するシート又はフィルムなどを装飾層６２が形成された透明基材６１の内面に配置することで実現されてもよい。また、上記では、装飾層６２が形成された透明基材６１の内面に光拡散層６３を形成する例について説明したが、これに限定されない。例えば、透明基材６１と光拡散層６３との間、又は、装飾層６２と光拡散層６３との間に、別の層が形成されていてもよい。つまり、光拡散層６３は透明基材６１に対して、発光モジュール３０側に形成されていればよい。
【００６１】
ここで、光拡散層６３がシート又はフィルムである場合について、図５を参照しながら説明する。図５は、本実施の形態に係る照明器具１の断面の他の一例を示す断面図である。具体的には、図５の（ａ）は、図１のＩＶ−ＩＶ線における断面図であり、図５の（ｂ）は、図５の（ａ）の破線領域の拡大断面図である。なお、図５の（ａ）は図４の（ａ）と同じ断面図であるので、説明を省略する。
【００６２】
図５の（ｂ）に示すように、光拡散層６３ａがシート又はフィルムである場合、断面視において、光拡散層６３ａは、装飾層６２が設けられている部分では装飾層６２の発光モジュール３０側の面と接している。一方、装飾層６２が設けられていない部分では、光拡散層６３ａは、透明基材６１の内面とは接していない。つまり、装飾層６２が設けられていない部分では、透明基材６１と光拡散層６３ａとの間には、例えば、空気層６４が形成される。言い換えると、光拡散層６３ａは、透明基材６１に対して、発光モジュール３０側に形成されている。この場合も、後述する拡散塗装により光拡散層６３を形成した場合の効果と、同様の効果を奏する。
【００６３】
なお、図５の（ｂ）に示すように、外郭カバー６０の装飾層６２が形成されている部分は第１カバー部６０ａの一例であり、外郭カバー６０の装飾層６２が形成されていない部分（例えば、空気層６４が形成されている部分）は第２カバー部６０ｂの一例である。
【００６４】
なお、光拡散層６３が設けられるとは、塗料を塗装することにより光拡散層６３が形成される又はシートなどにより光拡散層６３が配置されることを含む意図である。
【００６５】
上記のように、本実施の形態に係る外郭カバー６０は、装飾層６２が透明基材６１及び光拡散層６３の間に設けられている。
【００６６】
続いて、照明器具１の点灯時に外郭カバー６０に浮かび上がる模様の例について、図６を参照しながら説明する。図６は、本実施の形態に係る外郭カバー６０に浮かび上がる模様の一例を示す図である。言い換えると、照明器具１の点灯時に、床面から照明器具１を見た場合、外郭カバー６０に浮かび上がっている模様の一例を示す図である。具体的には、図２の破線領域Ｒの模様を示している。また、図６において、黒く図示している部分は光が暗いことを示しており、白く図示している部分は光が明るいことを示している。
【００６７】
本実施の形態に係る外郭カバー６０の第１カバー部６０ａと第２カバー部６０ｂとの透過率の差は１０％以上あるので、図６に示すように明暗がくっきりした模様を外郭カバー６０に浮かび上がらせることができる。なお、図６の黒く図示している部分は、図４の（ｂ）の第１カバー部６０ａを透過した光により形成されている。また、図６の白く図示している部分は、図４の（ｂ）の第２カバー部６０ｂを透過した光により形成されている。
【００６８】
なお、外郭カバー６０に浮かび上がらせる模様は、図６に示す模様に限定されない。例えば、模様は、文字、図形（幾何学模様）、絵画等であってもよい。また、模様は、図６に示すように明暗の２階調であることに限定されない。例えば、３階調以上の模様であってもよい。または、模様は複数の色から構成されていてもよい。これは、例えば、所定の顔料などを含んだインクを印刷することで実現される。
【００６９】
［１−８．枠体］
次に、枠体７０について、図１〜図４の（ａ）を参照しながら説明する。枠体７０は、外郭カバー６０を側方カバー５０に固定するための部材である。
【００７０】
図４の（ａ）に示すように、枠体７０の断面視形状は、略Ｌ字状である。枠体７０の天井側の面には、天井側に突出したネジ穴（図示しない）が形成されている。側方カバー５０及び外郭カバー６０には、枠体７０のネジ穴に対応した貫通孔（例えば、切欠き状の開口）が形成されている。当該貫通孔に枠体７０のネジ穴を挿入しネジ７１がネジ穴にねじ込まれることにより、外郭カバー６０は側方カバー５０に固定される。これにより、衝撃などで外郭カバー６０が周方向に回転することを抑制できる。
【００７１】
枠体７０に形成されるネジ穴は、枠体７０の天井側の面から天井側に突出して形成されているので、図２に示すように床面側から照明器具１を見てもネジ７１を視認することはできない。言い換えると、枠体７０を用いることで、照明器具１の美観を損ねることなく、外郭カバー６０を側方カバー５０に固定することができる。
【００７２】
［２．点灯時と非点灯時における模様の見え方］
続いて、本実施の形態の照明器具１が点灯しているとき及び消灯しているときの模様の見え方について、図７を参照しながら説明する。図７は、本実施の形態に係る照明器具１の点灯時及び消灯時での模様の見え方を説明するための図である。図７の（ａ）は照明器具１の点灯時、図７の（ｂ）は照明器具１の消灯時の模様の見え方を説明するための図である。なお、図中の矢印は、光の一例を示している。図７の（ａ）の光は、照明器具１の発光モジュール３０からの光である。図７の（ｂ）の光は、照明器具１の外部から照明器具１の外郭カバー６０へ入射する外光である。なお、外光とは、発光モジュール３０からの光以外に外郭カバー６０に入射する光のことである。例えば、外光は、太陽光、テレビなどの映像表示装置、又は他の照明器具からの光などである。
【００７３】
図７の（ａ）に示すように、発光モジュール３０からの光は外郭カバー６０の光拡散層６３に入射する。言い換えると、発光モジュール３０と光拡散層６３とは対向して配置されており、発光モジュール３０からの光は外郭カバー６０の中で最初に光拡散層６３に入射する。光拡散層６３に入射した光は、光拡散層６３により散乱される。
【００７４】
外郭カバー６０のうちの第１カバー部６０ａでは、光拡散層６３で散乱された光が、装飾層６２に入射する。装飾層６２は所定の透過率を有しており、装飾層６２に入射した光は、装飾層６２の透過率に応じて減光される。減光された光は透明基材６１を透過することで、照明器具１から照射される。一方、外郭カバー６０の第２カバー部６０ｂでは、光拡散層６３で散乱された光が、透明基材６１に入射し、透明基材６１を透過することで、照明器具１から照射される。つまり、外郭カバー６０のうちの第１カバー部６０ａを透過した光（暗い光とも記載する）は、第２カバー部６０ｂを透過した光（明るい光とも記載する）に比べ、装飾層６２が有する光透過率に応じた分だけ減光される。これにより、床面側から照明器具１を見ると、外郭カバー６０に光の明暗により形成された模様が見える。具体的には、第１カバー部６０ａを透過した光は、第２カバー部６０ｂを透過した光より暗く見える。なお、図７の（ａ）では、矢印の幅を小さくすることで、減光されていることを表している。
【００７５】
模様は、暗い光と明るい光との明るさの差が大きいほどくっきりと見える。言い換えると、第１カバー部６０ａと第２カバー部６０ｂとの光透過率（全光線透過率）の差が大きいほど、模様はくっきりと見える。例えば、外郭カバー６０の第１カバー部６０ａと、第２カバー部６０ｂとの光透過率の差は、１０％以上である。言い換えると、第１カバー部６０ａの光透過率は、第２カバー部６０ｂの光透過率に比べ、１０％以上低い。これにより、照明器具１が点灯しているときに、模様がくっきりと見える。また、光透過率の差は、例えば、装飾層６２の厚みにより制御される。例えば、装飾層６２の厚みを５μｍ以上とすることで、第１カバー部６０ａと第２カバー部６０ｂとの光透過率の差を１０％以上とすることができる。
【００７６】
第１カバー部６０ａの光透過率は、一例として４４％である。また、第２カバー部６０ｂとの光透過率は、一例として５９％である。
【００７７】
ここで、比較例として、基材（本実施の形態では透明基材６１）が光拡散機能を有しており、装飾層が基材の光源側の面に形成されている場合について説明する。この場合、装飾層で減光された光が基材により散乱されて、照明器具から照射される。また、装飾層を透過しない光は、直接基材に入射し、基材を透過することで散乱される。そのため、基材を平面視した場合において、装飾層が形成されている部分と装飾層が形成されていない部分との境界付近の領域では、装飾層を透過して減光された光と装飾層を透過していない光とが混ざって基材から照射される。よって、当該照明器具を床面側から見ると、模様の輪郭がくっきりと見えないことがある。一方、本実施の形態に係る外郭カバー６０では、装飾層６２は透明基材６１と光拡散層６３との間に設けられている。言い換えると、装飾層６２と透明基材６１との間には、光拡散層６３は設けられていない。これにより、装飾層６２を透過した光が光拡散層６３により散乱されることがないので、本実施の形態に係る照明器具１は比較例に比べ模様の輪郭がくっきりと見える。言い換えると、本実施の形態に係る照明器具１によれば、照明の演出効果を従来よりも高めることができる。
【００７８】
なお、照明器具１が点灯しているときに、照明器具１に外光が入射することはあるが、図７の（ａ）では点灯時に入射する外光を省略している。
【００７９】
続いて、図７の（ｂ）を参照しながら、照明器具１が消灯しているときの装飾層６２の見え方について説明する。照明器具１が消灯している、つまり発光モジュール３０から光が出射されていない場合、照明器具１には外光が入射することがある。
【００８０】
外光は、外郭カバー６０の透明基材６１の床面側の面（裏面とも記載する）に入射する。外郭カバー６０は透明な基材であり、入射する外光を透明基材６１の裏面で反射させる。例えば、所定の角度から入射する外光を全反射させる。つまり、透明基材６１が透明な基材であり外光を反射させるので、透明基材６１を透過する外光を減光することができる。
【００８１】
透明基材６１を透過した外光のうちの装飾層６２が形成されている部分を透過する外光は、装飾層６２を透過し光拡散層６３に入射する。このとき、装飾層６２を透過することで、透明基材６１を透過した外光は、さらに減光される。一方、透明基材６１を透過した外光のうちの装飾層６２が形成されていない部分を透過する外光は、光拡散層６３に入射する。例えば、装飾層６２が形成されていない部分を透過する外光は、直接光拡散層６３に入射する。つまり、装飾層６２を透過しないので、装飾層６２により減光されない。そして、装飾層６２を透過した外光及び装飾層６２を透過しなかった外光は、光拡散層６３を透過することで散乱される。光拡散層６３により床面側に散乱された外光は、透明基材６１を透過して床面側に照射される。
【００８２】
外郭カバー６０のうちの装飾層６２が形成されている部分を透過し光拡散層６３で散乱され透明基材６１から照射される外光（暗い外光とも記載する）と、装飾層６２が形成されていない部分を透過し光拡散層６３で散乱され透明基材６１から照射される外光（明るい外光とも記載する）とは、明るさが異なる。具体的には、暗い外光は、装飾層６２に透過するときに減光するので、その分明るい外光よりも暗い。暗い外光と明るい外光との明るさの差が大きいと、床面側から見たときに模様がよく見える。
【００８３】
本実施の形態に係る外郭カバー６０では、外光はまず透明基材６１の床面側の面で反射されるので、透明基材６１を透過する外光の光量は、透明基材６１に入射した外光の光量より少なくなる。暗い外光と明るい外光とは、装飾層６２の透過の有無に応じて明るさに差が発生するが、透明基材６１を透過する外光の光量自体が少ないので、暗い外光と明るい外光との明るさの差（輝度差）は少ない。つまり、床面側から、消灯しており外光が照射している照明器具１を見ても、装飾層６２による模様が見え難い。よって、照明器具１が消灯しているときに照明器具１の外郭カバー６０に模様が浮かび上がり、照明器具１の美観を損ねることを低減することができる。言い換えると、本実施の形態に係る照明器具１によれば、消灯時の照明器具１の美観を従来よりも高めることができる。
【００８４】
ここで、比較例として、基材（本実施の形態では透明基材６１）が光拡散機能を有しており、装飾層が基材の床面側の面に形成されている場合について説明する。つまり、基材と装飾層とで外郭カバーを構成している。この場合、装飾層が形成されている部分では、外光は直接装飾層に入射する。また、装飾層が形成されていない部分では、外光は直接基材に入射する。つまり、本実施の形態に係る照明器具１とは異なり、外光が装飾層又は基材に入射する前に、外光が減光されない。そのため、装飾層を透過し基材で散乱された外光と、装飾層を透過せず基材で散乱された外光との明るさの差が照明器具１より大きくなる。よって、比較例に係る照明器具では、照明器具の消灯時に模様が見えやすい。さらに、比較例に係る基材の床面側の面には装飾層による凹凸が形成されているので、当該凹凸による陰影が見えやすい。
【００８５】
一方、本実施の形態に係る外郭カバー６０では、装飾層６２は透明基材６１と光拡散層６３との間に設けられている。言い換えると、透明基材６１の裏面には、装飾層６２による凹凸が形成されていない。そのため、装飾層６２の陰影が見え難い。これにより、比較例に比べ消灯時に模様が見えにくい。
【００８６】
なお、第１カバー部６０ａと第２カバー部６０ｂとの光透過率の差が大きい、つまり装飾層６２の厚みが厚いと、消灯時に模様が見えやすくなる。消灯時の模様の見えを低減する観点から、装飾層６２の厚みは１０μｍ以下であることが好ましい。
【００８７】
［３．効果］
次に、本実施の形態に係る照明器具１の効果について説明する。
【００８８】
本実施の形態に係る照明器具１は、光源（例えば、発光モジュール３０）と、光源を覆う外郭カバー６０と、を備える。外郭カバー６０は、透明基材６１と、透明基材６１の光源側に設けられ透光性を有する光拡散層６３と、透明基材６１及び光拡散層６３の間に設けられ、所定の模様を構成する装飾層６２とから構成される。
【００８９】
これにより、照明器具１が消灯しており、かつ照明器具１に外光が入射している場合、外光は透明基材６１で反射されるので、透明基材６１を透過する外光の光量は透明基材６１に入射した外光の光量より少なくなる。外郭カバー６０のうちの装飾層６２が形成されている部分を透過し光拡散層６３で散乱され透明基材６１から照射される外光（暗い外光）と、装飾層６２が形成されていない部分を透過し光拡散層６３で散乱され透明基材６１から照射される外光（明るい外光）とは、装飾層６２の透過の有無に応じて明るさに差が発生する。照明器具１では、透明基材６１を透過する外光の光量自体が少ないので、暗い外光と明るい外光との明るさの差（輝度差）も少なくなる。つまり、消灯しているときに照明器具１の外郭カバー６０に模様が浮かび上がり、照明器具１の美観を損ねることを低減することができる。言い換えると、本実施の形態に係る照明器具１によれば、消灯時の照明器具１の美観を高めることができる。
【００９０】
さらに、装飾層６２が透明基材６１及び光拡散層６３の間に設けられている、つまり装飾層６２を透過した光は光拡散層６３により散乱されることがないので、床面側から照明器具１を見ると、輪郭がくっきりした模様が見える。よって、従来に比べ照明の演出効果を高めることができる。
【００９１】
また、外郭カバー６０は、装飾層６２が形成されている第１カバー部６０ａと、装飾層６２が形成されていない第２カバー部６０ｂと、を有し、第１カバー部６０ａの光透過率は、第２カバー部６０ｂの光透過率に比べ１０％以上低い。
【００９２】
これにより、照明器具１が点灯している場合、装飾層６２により構成される模様が、照明器具１の床面側からくっきりと見える。
【００９３】
また、透明基材６１の形状は、平板状である。
【００９４】
これにより、透明基材６１に装飾層６２及び光拡散層６３を形成する場合、透明基材６１の表面に凹凸がないので、印刷などの容易な方法で装飾層６２及び光拡散層６３を形成することができる。
【００９５】
また、装飾層６２は、シルク印刷により形成される。
【００９６】
これにより、シルク印刷といった一般的な印刷手法で、装飾層６２を形成することができる。
【００９７】
また、装飾層６２の厚みは、５μｍ以上１０μｍ以下である。
【００９８】
これにより、外郭カバー６０の装飾層６２が形成されている部分の光透過率を、外郭カバー６０の装飾層６２が形成されていない部分の光透過率に比べ１０％以上低くすることができる。言い換えると、装飾層６２の厚みを、５μｍ以上１０μｍ以下とすることで、模様をくっきりと見せることができる。
【００９９】
（その他の実施の形態）
以上、本発明について実施の形態に基づいて説明したが、本発明は、上記実施の形態に限定されるものではない。
【０１００】
例えば、上記実施の形態では、照明器具１が取り付けられる造営材の設置面が天井である場合について説明したが、設置面はこれに限定されない。例えば、造営材の設置面は、建物の壁等であってもよい。なお、設置面が壁である場合、一方側の面は、照明器具１が設置されている壁などであり、他方側の面は設置面と対向する壁などである。
【０１０１】
これにより、造営材の設置面が天井である場合と同様の効果を奏する。
【０１０２】
また、上記実施の形態では、透明基材６１は平板状の部材である例について説明したが、透明基材６１の形状は特に限定されない。例えば、透明基材６１はドーム状であってもよいし、その他の形状であってもよい。例えば、透明基材６１の平面視形状は矩形状（スクウェア状）であってもよいし、長尺状であってもよい。なお、透明基材６１がドーム状である場合、外郭カバー６０は直接器具本体１０に取り付けられてもよい。つまり、透明基材６１がドーム状である場合、照明器具１は、側方カバー５０を備えていなくてもよい。
【０１０３】
これにより、透明基材６１が平板状である場合と同様の効果を奏する。
【０１０４】
また、上記実施の形態では、照明器具１をシーリングライトとしたが、これに限定されない。例えば、ブラケットライト、バスルームライト又はキッチンライト等としてもよい。
【０１０５】
また、上記実施の形態では、発光素子をＳＭＤ構造としたが、これに限定されない。例えば、ＬＥＤチップを基板に直接実装したＣＯＢ（Ｃｈｉｐ  Ｏｎ  Ｂｏａｒｄ）構造であってもよい。この場合、封止部材によって、基板上に実装された複数のＬＥＤチップを一括に封止してもよく、あるいは、個別に封止してもよい。また、封止部材には、上述した黄色蛍光体等の波長変換材が含有されていてもよい。
【０１０６】
また、上記実施の形態では、複数の基板３１をリング状に並べることにより発光モジュール３０を構成したが、これに限定されない。例えば、１つのリング状の基板で発光モジュール３０を構成してもよい。
【０１０７】
また、上記実施の形態では、発光素子３２が基板３１に複数配置されている例について説明したが、これに限定されない。例えば、基板３１に配置される発光素子３２は１つであってもよい。
【０１０８】
また、上記実施の形態では、側方カバー５０と外郭カバー６０とが別体である例について説明したが、これに限定されない。例えば、側方カバー５０と外郭カバー６０とは一体形成されてもよい。
【０１０９】
また、上記実施の形態では、外郭カバー６０に１種類の模様が浮かび上がる例について説明したが、これに限定されない。複数種類の異なる模様を外郭カバー６０に浮かび上がらせてもよい。
【０１１０】
また、図５の（ｂ）では、装飾層６２が形成されていない部分において、透明基材６１と光拡散層６３との間に空気層６４が形成されている例について説明したが、これに限定されない。例えば、装飾層６２が形成されていない部分において、透明基材６１と光拡散層６３との間には、透明な樹脂などによる樹脂層が形成されていてもよい。
【０１１１】
また、上記実施の形態では、器具本体１０がリング状である例について説明したが、器具本体１０の形状は特に限定されない。
【０１１２】
その他、上記実施の形態に対して当業者が思いつく各種変形を施して得られる形態や、本発明の主旨を逸脱しない範囲で各実施の形態における構成要素および機能を任意に組み合わせることで実現される形態も本発明に含まれる。
【符号の説明】
【０１１３】
１    照明器具
３０    発光モジュール（光源）
６０    外郭カバー
６０ａ    第１カバー部
６０ｂ    第２カバー部
６１    透明基材
６２    装飾層
６３、６３ａ    光拡散層
【図１】
2018120797.tif 000003
【図２】
2018120797.tif 000004
【図３】
2018120797.tif 000005
【図４】
2018120797.tif 000006
【図５】
2018120797.tif 000007
【図６】
2018120797.tif 000008
【図７】
2018120797.tif 000009